(57)【要約】【課題】  画像と背景との間に境界線を設けることなく、境界を識別しやすくする仕組みを提供する。【解決手段】  表示装置の表示画面上に表示される画像を管理する情報処理装置であって、前記画像と、背景とを含む表示画面を生成する生成手段と、前記画像の角部に対応する位置に、当該画像と前記背景との境界を錯視させるオブジェクトを配置するか否かを、当該画像の有する属性値と当該背景の有する属性値とを用いて判定する判定手段と、前記画像の角部に対応する位置に、当該画像と前記背景との境界を錯視させる前記オブジェクトを配置すると判定した場合には当該オブジェクトを配置し、一方、当該画像と前記背景との境界を錯視させる前記オブジェクトを配置しないと判定した場合には当該オブジェクトを配置しない配置手段とを備えることを特徴とする情報処理装置。【選択図】  図５
2016224705.tif 000002
【特許請求の範囲】
【請求項１】
表示装置の表示画面上に表示される画像を管理する情報処理装置であって、
前記画像と、当該画像を配置する背景とを含む表示画面を生成する生成手段と、
前記生成手段によって生成される前記表示画面に配置される前記画像の角部に対応する位置に、当該画像と前記背景との境界を錯視させるオブジェクトを配置するか否かを、当該画像の有する属性値と当該背景の有する属性値とを用いて判定する判定手段と、
前記判定手段によって、前記生成手段によって生成される前記表示画面に配置される前記画像の角部に対応する位置に、当該画像と前記背景との境界を錯視させる前記オブジェクトを配置すると判定した場合には当該オブジェクトを配置し、一方、前記生成手段によって生成される前記表示画面に配置される前記画像の角部に対応する位置に、当該画像と前記背景との境界を錯視させる前記オブジェクトを配置しないと判定した場合には当該オブジェクトを配置しない配置手段とを備えることを特徴とする情報処理装置。
【請求項２】
前記判定手段で判定を行う際に用いる前記画像の属性値と前記背景の属性値との差分の許容値を記憶する記憶手段を更に備え、
前記判定手段は、前記画像の属性値と前記背景の属性値との差分の値が許容値内に有るか否かによって判定を行うことを特徴とする請求項１に記載の情報処理装置。
【請求項３】
前記判定手段は、前記生成手段によって生成される前記表示画面に配置される前記画像の角部に対応する位置に、当該画像と前記背景との境界を錯視させるオブジェクトを配置するかの判定を、当該画像のそれぞれの角部ごとに判定し、
前記配置手段は、当該画像のそれぞれの角部のうち、
前記判定手段によって、前記生成手段によって生成される前記表示画面に配置される前記画像の角部に対応する位置に、当該画像と前記背景との境界を錯視させる前記オブジェクトを配置すると判定した角部には当該オブジェクトを配置し、一方、前記生成手段によって生成される前記表示画面に配置される前記画像の角部に対応する位置に、当該画像と前記背景との境界を錯視させる前記オブジェクトを配置しないと判定した角部には当該オブジェクトを配置しないことを特徴とする請求項１または２に記載の情報処理装置。
【請求項４】
前記オブジェクトは、前記表示画面に配置される前記画像の角部の辺に沿った辺を少なくとも備えることを特徴とする請求項１乃至３のいずれか１項に記載の情報処理装置。
【請求項５】
前記生成手段は、複数の前記画像を一覧にした表示画面を生成し、
前記判定手段は、前記表示画面に一覧表示される個々の画像ごとに、前記オブジェクトを配置するか否かを判定することを特徴とする請求項１乃至４のいずれか１項に記載の情報処理装置。
【請求項６】
表示装置の表示画面上に表示される画像を管理する情報処理装置における制御方法であって、
前記情報処理装置の生成手段が、前記画像と、当該画像を配置する背景とを含む表示画面を生成する生成工程と、
前記情報処理装置の判定手段が、前記生成工程によって生成される前記表示画面に配置される前記画像の角部に対応する位置に、当該画像と前記背景との境界を錯視させるオブジェクトを配置するか否かを、当該画像の有する属性値と当該背景の有する属性値とを用いて判定する判定工程と、
前記情報処理装置の配置手段が、前記判定工程によって、前記生成工程によって生成される前記表示画面に配置される前記画像の角部に対応する位置に、当該画像と前記背景との境界を錯視させる前記オブジェクトを配置すると判定した場合には当該オブジェクトを配置し、一方、前記生成工程によって生成される前記表示画面に配置される前記画像の角部に対応する位置に、当該画像と前記背景との境界を錯視させる前記オブジェクトを配置しないと判定した場合には当該オブジェクトを配置しない配置工程を含むことを特徴とする制御方法。
【請求項７】
表示装置の表示画面上に表示される画像を管理する情報処理装置で読み取り実行が可能なプログラムであって、
前記情報処理装置を、
前記画像と、当該画像を配置する背景とを含む表示画面を生成する生成手段と、
前記生成手段によって生成される前記表示画面に配置される前記画像の角部に対応する位置に、当該画像と前記背景との境界を錯視させるオブジェクトを配置するか否かを、当該画像の有する属性値と当該背景の有する属性値とを用いて判定する判定手段と、
前記判定手段によって、前記生成手段によって生成される前記表示画面に配置される前記画像の角部に対応する位置に、当該画像と前記背景との境界を錯視させる前記オブジェクトを配置すると判定した場合には当該オブジェクトを配置し、一方、前記生成手段によって生成される前記表示画面に配置される前記画像の角部に対応する位置に、当該画像と前記背景との境界を錯視させる前記オブジェクトを配置しないと判定した場合には当該オブジェクトを配置しない配置手段として機能させることを特徴とするプログラム。
【請求項８】
表示装置の表示画面上に表示される画像を管理する情報処理システムであって、
前記画像と、当該画像を配置する背景とを含む表示画面を生成する生成手段と、
前記生成手段によって生成される前記表示画面に配置される前記画像の角部に対応する位置に、当該画像と前記背景との境界を錯視させるオブジェクトを配置するか否かを、当該画像の有する属性値と当該背景の有する属性値とを用いて判定する判定手段と、
前記判定手段によって、前記生成手段によって生成される前記表示画面に配置される前記画像の角部に対応する位置に、当該画像と前記背景との境界を錯視させる前記オブジェクトを配置すると判定した場合には当該オブジェクトを配置し、一方、前記生成手段によって生成される前記表示画面に配置される前記画像の角部に対応する位置に、当該画像と前記背景との境界を錯視させる前記オブジェクトを配置しないと判定した場合には当該オブジェクトを配置しない配置手段とを備えることを特徴とする情報処理システム。
【請求項９】
表示装置の表示画面上に表示される画像を管理する情報処理システムにおける制御方法であって、
前記情報処理システムの生成手段が、前記画像と、当該画像を配置する背景とを含む表示画面を生成する生成工程と、
前記情報処理システムの判定手段が、前記生成工程によって生成される前記表示画面に配置される前記画像の角部に対応する位置に、当該画像と前記背景との境界を錯視させるオブジェクトを配置するか否かを、当該画像の有する属性値と当該背景の有する属性値とを用いて判定する判定工程と、
前記情報処理システムの配置手段が、前記判定工程によって、前記生成工程によって生成される前記表示画面に配置される前記画像の角部に対応する位置に、当該画像と前記背景との境界を錯視させる前記オブジェクトを配置すると判定した場合には当該オブジェクトを配置し、一方、前記生成工程によって生成される前記表示画面に配置される前記画像の角部に対応する位置に、当該画像と前記背景との境界を錯視させる前記オブジェクトを配置しないと判定した場合には当該オブジェクトを配置しない配置工程を含むことを特徴とする制御方法。
【請求項１０】
表示装置の表示画面上に表示される画像を管理する情報処理システムで読み取り実行が可能なプログラムであって、
前記情報処理システムを、
前記画像と、当該画像を配置する背景とを含む表示画面を生成する生成手段と、
前記生成手段によって生成される前記表示画面に配置される前記画像の角部に対応する位置に、当該画像と前記背景との境界を錯視させるオブジェクトを配置するか否かを、当該画像の有する属性値と当該背景の有する属性値とを用いて判定する判定手段と、
前記判定手段によって、前記生成手段によって生成される前記表示画面に配置される前記画像の角部に対応する位置に、当該画像と前記背景との境界を錯視させる前記オブジェクトを配置すると判定した場合には当該オブジェクトを配置し、一方、前記生成手段によって生成される前記表示画面に配置される前記画像の角部に対応する位置に、当該画像と前記背景との境界を錯視させる前記オブジェクトを配置しないと判定した場合には当該オブジェクトを配置しない配置手段として機能させることを特徴とするプログラム。
【発明の詳細な説明】
【技術分野】
【０００１】
本願発明は、情報処理装置、システム、およびそれらの制御方法、プログラムに関する。
【背景技術】
【０００２】
写真（あるいは絵、画像）の表現法の一つに、ハイキーがある（例えば、図１１のハイキー写真１１０１）。写真におけるハイキーは、露出オーバー気味にカメラで撮影することで、ハイライト部分（白色もしくはそれに近い色合いの部分）が多く、同時に画面全体に光が回った陰影の少ない画像を得ている。
【０００３】
また、写真の表現法の一つに、余白を設ける方法がある（例えば図１１の余白付写真１１０２）。これは、画像の周辺部分を単色（主に白や黒が多い）の縁で囲う方法である。
【０００４】
従来、写真の鑑賞や評価の方法は、専ら写真を紙にプリントして印刷して鑑賞する方法であった。そして、このような鑑賞方法においては、写真の「縁」がどこなのかを認識することは、困難ではなかった。
【先行技術文献】
【特許文献】
【０００５】
【特許文献１】特開平１０−１３８５６７号公報
【特許文献２】特開２００９−２３９８４９号公報
【発明の概要】
【発明が解決しようとする課題】
【０００６】
近年、デジタルカメラ等の発展によって、写真の鑑賞方法は、モニタ上で鑑賞する方法が主流となっている。しかし、この写真の鑑賞方法には一つ問題がある。それは、表示画面に表示される写真とその背景色とが同系色であった場合、写真の「縁」すなわち、写真と背景との「境界」が識別困難になるということである。例えば、図１２の境界識別不能画像１２０１のように、ハイキー写真や余白を設けた写真を鑑賞する際に、その画像を表示する画面の背景色が白色やそれに近い色であった場合、写真と背景との「境界」は識別困難になる。そしてこのような状況では、せっかく表現に工夫を凝らした写真と背景との境界が識別できないため、適正な写真の鑑賞ができない。
同様の問題は、フォトコンテストにおいても存在する。
【０００７】
従来、フォトコンテストの審査は、応募者からプリントした写真をコンテスト事務局に送付させ、審査員が送付された写真を見比べて行っていたため、写真の縁を識別することは困難ではなかった。しかし、近年ではウエブサイトを介したコンテストが主流となってきている。具体的には、図１に示すような仕組みで行われている。まず、コンテストで審査する写真は、応募者の端末からフォトコンテストを管理する管理サーバが電子データで受付ける。次に、管理サーバに通信接続した審査者の情報処理端末上に写真を表示して審査を行う。このように、審査対象の写真は背景と共に表示画面に表示されるため、画像と背景との組合せによっては、両者の境界が識別困難な状況が生まれるのである。
そこで、識別困難な写真と背景の境界を識別可能にするために、次のような方法が考えられる。
【０００８】
第一の方法は、境界部分に境界線を設ける方法である。しかし、このような行為は、著作者本人の作品に間接的に手を加える行為であり、著作者（応募者）の意図した写真の表現を損なう可能性がある。したがって、極力写真をありのまま鑑賞し、評価する上であまり好ましい方法ではない。
【０００９】
第二の方法は、写真の背景色を作品の境界線が識別しやすい色に変更する方法である。例えば、特許文献１では、背景が模様や画像などのように複数の異なる色の領域からなっていても、背景色と文字色が同系色にならず、文字を見やすくする。技術が記載されている。また、特許文献２の図７には、写真に合わせて背景色を決定する仕組みが記載されている。
【００１０】
しかし、複数の写真を並べて鑑賞・評価する場合、一つの写真の境界が識別できるように背景色を変更することで、今度は別の写真と背景色とが似てしまい境界が識別困難になる恐れがある。そこで、表示する写真ごとに背景色を変える方法が考えられる。しかし、この方法では、それぞれの写真を同じ条件下（同じ背景）で鑑賞・評価することができない。つまり、このやり方も写真をありのまま鑑賞し、評価する上であまり好ましい方法ではない。
【００１１】
このような理由から、同じ背景に様々な画像を並べた場合であっても、境界線を設けることなく、いずれの画像も画像と背景との境界を識別できるような仕組みの提供が必要とされている。
本発明は、表示画面に表示される画像と背景との間に境界線を設けることなく、画像と背景との境界を識別しやすくする仕組みを提供する。
【課題を解決するための手段】
【００１２】
本発明は、表示装置の表示画面上に表示される画像を管理する情報処理装置であって、前記画像と、当該画像を配置する背景とを含む表示画面を生成する生成手段と、前記生成手段によって生成される前記表示画面に配置される前記画像の角部に対応する位置に、当該画像と前記背景との境界を錯視させるオブジェクトを配置するか否かを、当該画像の有する属性値と当該背景の有する属性値とを用いて判定する判定手段と、前記判定手段によって、前記生成手段によって生成される前記表示画面に配置される前記画像の角部に対応する位置に、当該画像と前記背景との境界を錯視させる前記オブジェクトを配置すると判定した場合には当該オブジェクトを配置し、一方、前記生成手段によって生成される前記表示画面に配置される前記画像の角部に対応する位置に、当該画像と前記背景との境界を錯視させる前記オブジェクトを配置しないと判定した場合には当該オブジェクトを配置しない配置手段とを備えることを特徴とする。
【発明の効果】
【００１３】
このように設けることで、表示画面に表示される画像と背景との間に境界線を設けることなく、画像と背景との境界を識別しやすくする仕組みを提供することができる。
【図面の簡単な説明】
【００１４】
【図１】本発明のシステム構成の一例を示した構成図である。
【図２】本発明のハードウエアの構成の一例を示した構成図である。
【図３】コンテストに応募するためのコンテンツや応募者の情報を受付けるための応募受付画面の一例を示した構成図である。
【図４】応募者情報処理端末１３０から情報処理装置１２０にコンテストの画像が応募される際のフローの一例を示した構成図である。
【図５】審査者情報処理端末１１０に表示されるコンテストの審査画面の一例を示した構成図である。
【図６】角部の定義の一例を示した構成図である。
【図７】本実施例における審査画面５００の表示と審査結果の受付けに関するフローの一例を示した構成図である。
【図８】本実施例のデータテーブルの一例を示す構成図である。
【図９】錯視オブジェクト５０４一例を示した構成図である。
【図１０】錯視オブジェクト５０４の変形例である。
【図１１】ハイキー写真と余白を設けた写真の一例である。
【図１２】背景との境界の識別ができない状態の画像表示の一例を示した構成図である。
【図１３】境界領域の一例を示す構成図である。
【発明を実施するための形態】
【００１５】
以下、図面を参照して、本発明の実施形態を詳細に説明する。
図１は、本発明のシステム構成の一例を示した構成図である。
【００１６】
図１のシステムは、審査者情報処理端末１１０と情報処理装置１２０と応募者情報処理端末１３０とが、通信ネットワーク１４０を介して通信可能に接続される情報処理システムである。また、情報処理装置１２０には、管理者情報処理端末１５０が通信可能に接続される。
【００１７】
情報処理装置１２０は、画像を審査して入賞作品を決定するコンテスト（例えばフォトコンテスト、写真コンテスト）のサイトを管理する管理サーバである。本実施例ではコンテストの一例として、特にフォトコンテストを想定して記載している。しかし、写真に限らずイラストなどの様々な画像情報に置き換えて考えられるものとする。また、情報処理装置１２０は、コンテストに画像の応募を希望する応募者の応募者情報処理端末１３０から送信される画像ファイルとその関連情報を受け付け、データテーブルにて管理・記憶する。また、情報処理装置１２０は、審査者情報処理端末１１０通信可能へ画像ファイルを含む表示画面を送信し、審査者情報処理端末１１０の表示部２１０に表示させる。また、情報処理装置１２０は、審査者情報処理端末１１０からそれぞれの画像の審査結果を受付けて、画像ファイルと共に、コンテストの入賞者を決定するための審査結果を記憶・管理する。
【００１８】
審査者情報処理端末１１０は、情報処理装置１２０から受けつけた審査画面５００を表示部２１０に表示する。そして、審査者情報処理端末１１０は、審査画面５００を通じて審査者から入賞作品を決めるための審査結果の入力を受付ける。また、審査者情報処理端末１１０は、具体的には例えば、パーソナルコンピュータ（ＰＣ）やスマートフォン、タブレット等の入出力の機能と通信機能とを備えた情報処理端末が想定される。これは、情報処理装置１２０、応募者情報処理端末１３０、管理者情報処理端末１５０も同様である。また、審査者情報処理端末１１０は、本実施例においては、審査者は１人で図１の審査者情報処理端末１１０も１つだけであるが、複数であってもよい。つまり、通信ネットワーク１４０に接続された審査者情報処理端末１１０は、複数存在してもよい。
【００１９】
応募者情報処理端末１３０は、応募受付画面３００を通じて応募者から、コンテストサイトに応募する写真（画像）を受けつける。また、応募者情報処理端末１３０は、本実施例においては１つしか描かれていないが、複数存在してもよい。
【００２０】
管理者情報処理端末１５０は、情報処理装置１２０の管理を行う管理者の情報処理端末で、コンテストサイトのアドミニストレーターとしてコンテストに関する様々な設定と変更が可能である。具体的には、例えば、許容差分データテーブル８００−３の許容差分明度８１４、許容差分輝度８１５、許容差分彩度８１６、角部定義８１７などである。なお、情報処理装置１２０とは通信ネットワーク１４０を介して接続されてもよい。
【００２１】
図２は、本発明のハードウエアの構成の一例を示した構成図である。ハードウエアは、審査者情報処理端末１１０、情報処理装置１２０、応募者情報処理端末１３０および管理者情報処理端末１５０である。
【００２２】
２０１はＣＰＵで、ＲＯＭ２０２のプログラム用ＲＯＭや外部メモリ２１１に記憶されたプログラムをＲＡＭ２０３にロードして実行することによりシステムバス２０４に接続された各デバイスを制御する。また、このＲＯＭ２０２のフォント用ＲＯＭにはフォントデータ等を記憶し、ＲＯＭ２０２のデータ用ＲＯＭには各種データを記憶する。２０３はＲＡＭで、ＣＰＵ２０１の主メモリ、ワークエリア等として機能する。２０２はキーボードコントローラ（入力コントローラ）で、２０９や図示しないポインティングデバイス、例えばタッチパッドからの入力を制御する。
【００２３】
入力コントローラ２０５は入力デバイス２０９を制御する。なお入力デバイス２０９には、タッチパネルも含まれ、その場合は、入力デバイス２０９が表示部２１０（画像を表示する表示画面を映すための表示装置）を兼ねているケースもある。２０６はビデオカード（ＶＣ）で、表示部２１０の表示を制御する。
【００２４】
２０７はメモリコントローラで、外部メモリ２１１（ハードディスク等）とのアクセスを制御する。２０８はネットワークインターフェースカード（ＮＩＣ）で、通信ネットワーク１４０上の通信を制御する。
図３は、コンテストに応募するためのコンテンツや応募者の情報を受付けるための応募受付画面の一例を示した構成図である。
【００２５】
応募受付画面３００は、応募者情報処理端末１３０の表示部２１０に表示され、ユーザ（コンテストの応募者）よりコンテストに応募するための写真（画像）や関連する情報を受付ける。
【００２６】
コンテンツアドレス表示領域３０１は、応募コンテンツ一覧３０６に追加する候補のコンテンツのある場所（アドレス）を表示する領域である。例えば図３では、応募者情報処理端末１３０の「Ｃ￥ＸＸＸ￥ＸＸＸ」  という場所に「００５．ｊｐｇ」という画像フォルダがあることを示している。
【００２７】
作品名受付領域３０３は、コンテンツアドレス表示領域３０１に表示されるアドレスに対応するコンテンツの名称（作品名）の入力を受付けるための領域である。例えば図３では、作品名は「ＸＸＸＸ」である。
【００２８】
コメント受付領域３０４は、コンテンツアドレス表示領域３０１に表示される画像に対応する応募者のコメントを受付けるための領域である。例えば図３では、コメントは「ＸＸＸＸＸＸＸＸＸＸ」である。
【００２９】
応募コンテンツ一覧追加指示受付ボタン３０５は、コンテンツアドレス表示領域３０１のアドレスに対応する画像や作品名受付領域３０３とコメント受付領域３０４で受付けた情報を、応募コンテンツ一覧３０６に登録する指示をユーザから受付けるボタンである。
【００３０】
応募コンテンツ一覧３０６は、応募コンテンツ一覧追加指示受付ボタン３０５のボタン押下により対応付けて受付けたコンテンツと作品名とコメントとを一覧表示する為の欄である。
ユーザＩＤ受付領域３０７は、応募者のユーザＩＤをユーザから受付ける欄である。
応募者名受付領域３０８は、応募者の氏名をユーザから受付ける欄である。
応募者郵便番号受付領域３０９は、応募者の郵便番号をユーザから受付ける欄である。
応募者住所受付領域３１０は、応募者の住所をユーザから受付ける欄である。
【００３１】
なお、本コンテストサイトがユーザログインを要するサイトである場合、応募者情報処理端末１３０のユーザが既にログイン済みであれば、そのユーザＩＤがユーザＩＤ受付領域３０７に反映される仕組みであってもよい。同様に、ユーザＩＤに対応付けられて応募者名、郵便番号、住所が応募者情報処理端末１３０や情報処理装置１２０で管理されているのであれば、その情報も、応募者名受付領域３０８、応募者郵便番号受付領域３０９、応募者住所受付領域３１０にそれぞれ反映される仕組みであってもよい。
【００３２】
コンテンツ応募指示ボタン３１１は、応募受付画面３００にて受け付けたコンテストに応募する画像と関連する情報（作品名、コメント、ユーザＩＤ、応募者名、郵便番号、住所等）とを、情報処理装置１２０に送信する指示をユーザから受付けるボタンである。
応募終了ボタン３１２は、コンテストへのコンテンツの応募を終了する（応募受付画面３００をシャットアウトする）指示をユーザから受付けるボタンである。
図４は、応募者情報処理端末１３０から情報処理装置１２０にコンテストへの応募画像が応募される際のフローの一例を示した構成図である。
【００３３】
本時実施例の各図のフローの説明においては、具体的には、ＣＰＵ２０１が外部メモリに記憶された制御プログラムをＲＡＭ２０３にロードして実行することにより行われるものである。しかし、簡易な表現とすべく審査者情報処理端末１１０。情報処理装置１２０、応募者情報処理端末１３０等を主体として説明する。
ステップＳ４０１では、応募者情報処理端末１３０は、情報処理装置１２０に応募受付画面３００の送信要求を行う。
【００３４】
ステップＳ４０２では、情報処理装置１２０は、応募者情報処理端末１３０からの応募受付画面の要求を受信し、応募者情報処理端末１３０に応募受付画面３００を送信する。
ステップＳ４０３では、応募者情報処理端末１３０は、情報処理装置１２０から応募受付画面３００を受信し、表示部２１０に表示する。
【００３５】
ステップＳ４０４では、応募者情報処理端末１３０は、応募受付画面３００を通じてユーザからコンテストに応募する画像（写真データ・ファイル）と関連情報（例えば応募者の名前や作品名、連絡先など）の選択や入力を受付ける。
【００３６】
ステップＳ４０５では、応募者情報処理端末１３０は、ステップＳ４０４で受付けた画像と関連情報とを情報処理装置１２０へ送信する為の指示（コンテンツ応募指示ボタン３１１の押下）をユーザから受けつける。
【００３７】
ステップＳ４０６では、応募者情報処理端末１３０は、ステップＳ４０５で画像と関連情報を情報処理装置１２０へ送信する指示をユーザから受付けたか否かを判定する。そして、受付けていると判定した場合はステップＳ４０７に遷移し、一方、受付けていないと判定した場合はステップＳ４０９に遷移する。
ステップＳ４０７では、応募者情報処理端末１３０は、ステップＳ３０４で受付けた画像と関連情報を情報処理装置１２０へ送信する。
【００３８】
ステップＳ４０８では、情報処理装置１２０は、応募者情報処理端末１３０から送信された、画像と関連情報とを受付けて外部メモリ２１１に対応付けて記憶し、受付け完了を応募者情報処理端末１３０に通知する。
【００３９】
ステップＳ４０９では、応募者情報処理端末１３０は、情報処理装置１２０からの受付け完了通知を受信する。この際、応募受付画面に応募を受付けた旨のメッセージが表示されてもよい（不図示）。
【００４０】
ステップＳ４１０では、応募者情報処理端末１３０は、応募受付画面３００を通じて画面をシャットダウンする指示（応募終了ボタン３１２の押下）をユーザから受付ける。
【００４１】
ステップＳ４１１では、応募者情報処理端末１３０は、ステップＳ４１０にて画面をシャットダウンする指示を受付けたか否かを判定する。そして、受付けたと判定した場合には本フロー終了し、一方、受付けていないと判定した場合には、ステップＳ４０４に遷移する。
図５は、審査者情報処理端末１１０に表示されるコンテストの審査画面の一例を示した構成図である。
【００４２】
審査画面５００は、審査者情報処理端末１１０の表示部２１０（表示装置）の表示画面上に表示される表示画面である。そして、ユーザ（審査者）に審査させる１または複数の画像を、画像と背景との境界に境界線を設けることなく表示し、それぞれの画像の審査結果を受付けるための表示画面である。審査画面５００は、ステップＳ７１５にて生成される（生成手段）が、詳細は後述する。
【００４３】
画像表示領域５０１は、審査画面５００でユーザに審査させるべく表示される画像を表示する領域である。画像表示領域５０１に表示される画像は、応募者情報処理端末１３０が応募受付画面３００を通じて応募者からコンテストに応募するために受けつけたものである。そして、ステップＳ４０８で情報処理装置１２０が受信し、コンテストデータテーブル８００−１に格納されて管理される画像データ、つまり画像ファイル８０２である。
【００４４】
画像情報表示領域５０２は、画像表示領域５０１の画像の詳細情報を表示する領域である。具体的には例えばコンテストの作品名や、応募者の名前のほか、応募者のコメントなどのコンテストに関連する情報を表示される。他にも応募者のコメントなどを表示してもよい。画像情報表示領域５０２に表示される情報は、ステップＳ４０８で情報処理装置１２０が画像と共に受信した情報であり、コンテストデータテーブル８００−１で画像ファイル８０２に対応付けられて記憶・管理される情報である。
【００４５】
審査結果受付領域５０３は、画像表示領域５０１に表示される画像の審査結果をユーザから受けつけるための領域である。本実施例ではラジオボタンであるが、審査結果が受付けられれば良く、プルダウンなど、方法は特に問わない。審査結果受付領域５０３で受付けた審査結果は、ステップＳ７１９にて送信され、画像ファイル８０２に対応付けられてコンテストデータテーブル８００−１で記憶・管理される。
【００４６】
錯視オブジェクト５０４は、画像表示領域５０１の画像の角部に対応する位置に付加されるオブジェクトである。そして、錯視オブジェクト５０４は、審査画面５００に表示される画像と背景色との境界を、錯視させる効果を有するオブジェクトである。この効果により、審査画面５００に表示される画像と背景との境界が識別困難な状況においても、画像と背景の間に境界線を設けたり、背景色を変更したりせずに境界が識別可能に画像を表示することができる。
【００４７】
錯視オブジェクト５０４は、画像表示領域５０１の画像の角部のうち、画像と背景との境界の識別困難と判断される角部対応する位置にだけ、表示されることが望ましい。なぜならば、境界線を引く行為ほどではないにせよ、角部に対応する位置に錯視オブジェクトを配置する行為は、作品の印象を多少は変えてしまう可能性があるからである。そこで、本実施例では不要な錯視オブジェクトは表示しなくて済むよう、角部ごとに錯視オブジェクト必要か否かの判定を行なうよう設けている。なお、オブジェクトの配置に関する判定の詳細は、ステップＳ７０３乃至ステップＳ７１４の説明の際に詳しく述べる。また、錯視オブジェクト５０４自体の構成の詳細については図９で、変形例は図１０で、それぞれ後述する。
【００４８】
ここで、角部について説明する。角部とは、画像表示領域５０１に表示される画像の４隅の角の領域である。角部の定義は、「画像面積の４％」といった具合に、許容差分データテーブル８００−３にて記憶・管理されている。
【００４９】
図６は、角部の定義の一例を示した構成図である。図６では、一例として角部の定義を「画像面積の４％」とし、画像表示領域５０１に表示される画像（画像ファイル８０２）を、３０×２０＝６００ピクセルの解像度として具体的に説明する。この場合、角部は、４隅のいずれかに対応する画像面積の４％分の領域で、６００ピクセルならば、６００ピクセル×４％＝２４ピクセル分の領域が角部となる。そして、画像の縦横比を変えないとすれば、図６では具体的には、第１の角部６０１、第２の角部６０２、第３の角部６０３、第４の角部６０４の、６×４ピクセルの領域が、角部となる。ただし、角部は、錯視オブジェクト５０４を表示するか否か（画像と背景とが識別可能であるか否か）を判定可能に設けることができればよいため、必ずしも上記の通りの定義でなくともよい。例えば、例えば画像表示領域５０１の画像の隅を頂点として、扇形に領域をとる、５×５の正方形に角部をとる（１ピクセル多いが）など、様々な角部のとり方があってよい。
【００５０】
次に、画像や背景の属性値を用いた、画像の隅の近傍と背景との境界の差が識別できるか否かの判定、つまり、錯視オブジェクト５０４の表示・非表示の判定の事例を紹介する。
【００５１】
ここでは単純な例として、明度のみを属性値とし、これを用いて錯視オブジェクト５０４の表示非表示を判定する場合を説明する。例えば、判定基準を『角部の平均の明度と背景の明度の差の絶対値  ＞  許容値』であれば、角部と背景の境界は識別できると判定するものとし、反対に、『角部の平均の明度と背景の明度の差の絶対値  ≦  許容値』であれば、角部と背景の境界は識別困難と判定するものとする。そして、画像表示領域５０１の画像の角部の平均の明度を「２５０」、背景は背景データテーブル８００−２のパターン１（つまり明度が「２５５」）である場合を考える。この場合、明度の差は５である。そして、許容差分データテーブル８００−３の許容差分明度（許容値）が「１０」であれば、許容値内として角部と背景の境界は識別困難と判定される。そして、画像表示領域５０１に画像が表示される際に、判定対象となった画像の角部の位置に対応する錯視オブジェクト５０４が表示される。
【００５２】
また、別の一例としてＲＧＢの属性値を用いて、錯視オブジェクト５０４の表示非表示の判定を行うケースを挙げる。例えば、判定基準を『角部の平均のＲＧＢ値と背景のＲＧＢ値とのそれぞれの差の絶対値の合計  ＞  許容値』であれば、角部と背景の境界は識別できると判定するものとし、反対に、『角部の平均のＲＧＢ値と背景のＲＧＢ値とのそれぞれの差の絶対値の合計  ≦  許容値』であれば、角部と背景の境界は識別困難と判定するものとする。そして、画像の角部の平均のＲＧＢが（２５０，２４５，２５０）、背景のＲＧＢが（２５５，２５５，２５５）で、両者の差分の許容値を「３０」とする。
【００５３】
この場合、それぞれの差分の絶対値の合計値が、差分の許容値内か否かで判定をする。
属性値の差分の絶対値の合計＝（２５５−２５０）＋（２５５−２４５）＋（２５５−２５０）＝２０である。したがって、角部と背景の境界は許容値内なので、画像と背景の境界は識別困難である判定される。そして、画像表示領域５０１に画像が表示される際には、判定対象となった画像の角部の位置に対応する錯視オブジェクト５０４は表示される。
【００５４】
これらの例のように、画像の隅の近傍と背景との境界の差が識別できるか否かの判定は、適切に行える許容値と属性値とが設定できていれば十分である。したがって、属性値は必ずしも明度、輝度、彩度やＲＧＢ値でなくともよいし、許容値も、属性値の特性に合わせて設定すればよい。
また、角部の領域の代わり、例えば図１３に示すようなカギ状の境界領域１３０１を設定し、この領域の属性値を以て画像の隅の近傍と背景との境界の差が識別できるか否かの判定を行ってもよい。
【００５５】
審査の保存・終了ボタン５０５は、ユーザから審査の結果の保存・審査の終了の指示を受付けるボタンである。このボタンの押下を受付けると、審査結果受付領域５０３で受付けた審査結果の情報が審査者情報処理端末１１０から情報処理装置１２０に送信され、コンテストデータテーブル８００−１の審査結果８０５が更新される。
図６は、角部の定義の一例を示した構成図である。
【００５６】
画像ファイル８０２は、画像表示領域５０１に表示される画像である。縦横の線で囲まれた一つ一つのマス目は、画像のピクセルを表している。図６では一例として、横３０×縦２０ピクセル（＝６００ピクセル）の画像を示している。
【００５７】
第１の角部６０１は、画像表示領域５０１の画像の左上の角部である。角部定義８１７の、「画像の４％」との定義に基づいて、左上の角のピクセルを含む、６００ピクセルの４％である２４ピクセルの領域が、第１の角部６０１である。図６では縦横比は、図６の画像表示領域５０１の画像と同じとし、横６×縦４ピクセルである。
第２の角部６０２は、画像表示領域５０１の画像の右上の角部である。
第３の角部６０３は、画像表示領域５０１の画像の左下の角部である。
第４の角部６０４は、画像表示領域５０１の画像の右下の角部である。
図７は、本実施例における審査画面５００の表示と審査結果の受付けに関するフローの一例を示した構成図である。
ステップＳ７０１では、審査者情報処理端末１１０は、情報処理装置１２０に審査画面５００の送信要求をする。
【００５８】
ステップＳ７０２では、情報処理装置１２０は、ステップＳ７０１の要求を受信し、コンテストデータテーブル８００−１、背景データテーブル８００−２、許容差分データテーブル８００−３を読み込む。
【００５９】
ステップ請求項７０３乃至７１０は、画像ファイル８０２を画像表示領域５０１に表示する際、角部に対応する錯視オブジェクト５０４の表示が必要であるか否かをそれぞれの画像をそれぞれの角部ごとに判定するためのルーチンである。つまり、画像と背景との境界が識別可能であるか否かを、つまり、コンテストデータテーブル８００−１で管理されている画像ファイル８０２の４つの角部（第１の角部（左上）、第２の角部（右上）・第３の角部（左下）・第４の角部（右下））それぞれに、錯視オブジェクト５０４の表示が必要であるか否かを、画像の数だけ繰り返しループさせて判定する。
例えば、図５の作品名「斜面」の画像の場合、このルーチンでは第１の角部に対応する位置には錯視オブジェクト５０４の表示が必要であると判定されたことになる。同様に、第２の角部・第３の角部・第４の角部対応する位置には錯視オブジェクト５０４の表示が必要でないと判定されたことになる。
【００６０】
ステップＳ７０３では、情報処理装置１２０は、画像ファイル８０２を画像表示領域５０１に表示する際に、第１の角部に対応する錯視オブジェクト５０４の表示が必要であるかを判定する。必要であると判定された場合にはステップＳ７０４へ、必要ではないと判定された場合には、ステップＳ７０５へ遷移する。
【００６１】
ステップＳ７０４では、情報処理装置１２０は、第１の角部に対応する錯視オブジェクト５０４の表示が必要である旨、コンテストデータテーブル８００−１の第１の辺の表示補助８０６に格納する。
【００６２】
ステップＳ７０５では、情報処理装置１２０は、第１の角部に対応する錯視オブジェクト５０４の表示が必要でない旨、コンテストデータテーブル８００−１の第１の辺の表示補助８０６に格納する。
【００６３】
ステップＳ７０６では、情報処理装置１２０は、画像ファイル８０２を画像表示領域５０１に表示する際に、第２の角部に対応する錯視オブジェクト５０４の表示が必要であるかを判定する。必要であると判定された場合にはステップＳ７０７へ、必要ではないと判定された場合には、ステップＳ７０８へ遷移する。
【００６４】
ステップＳ７０７では、情報処理装置１２０は、第２の角部に対応する錯視オブジェクト５０４の表示が必要である旨、コンテストデータテーブル８００−１の第２の辺の表示補助８０７に格納する。
【００６５】
ステップＳ７０８では、情報処理装置１２０は、第２の角部に対応する錯視オブジェクト５０４の表示が必要でない旨、コンテストデータテーブル８００−１の第２の辺の表示補助８０７に格納する。
【００６６】
ステップＳ７０９では、情報処理装置１２０は、画像ファイル８０２を画像表示領域５０１に表示する際に、第３の角部に対応する錯視オブジェクト５０４の表示が必要であるかを判定する。必要であると判定された場合にはステップＳ７１０へ、必要ではないと判定された場合には、ステップＳ７１１へ遷移する。
【００６７】
ステップＳ７１０では、情報処理装置１２０は、第３の角部に対応する錯視オブジェクト５０４の表示が必要である旨、コンテストデータテーブル８００−１の第３の辺の表示補助８０８に格納する。
【００６８】
ステップＳ７１１では、情報処理装置１２０は、第３の角部に対応する錯視オブジェクト５０４の表示が必要でない旨、コンテストデータテーブル８００−１の第３の辺の表示補助８０８に格納する。
【００６９】
ステップＳ７１２では、情報処理装置１２０は、画像ファイル８０２を画像表示領域５０１に表示する際に、第４の角部に対応する錯視オブジェクト５０４の表示が必要であるかを判定する。必要であると判定された場合にはステップＳ７１３へ、必要ではないと判定された場合には、ステップＳ７１４へ遷移する。
【００７０】
ステップＳ７１３では、情報処理装置１２０は、第４の角部に対応する錯視オブジェクト５０４の表示が必要である旨、コンテストデータテーブル８００−１の第４の辺の表示補助８０９に格納する。
【００７１】
ステップＳ７１４では、情報処理装置１２０は、第４の角部に対応する錯視オブジェクト５０４の表示が必要でない旨、コンテストデータテーブル８００−１の第４の辺の表示補助８０９に格納する。
【００７２】
ステップＳ７１５では、情報処理装置１２０は、コンテストデータテーブル８００−１の情報に基づいて錯視オブジェクト５０４が必要な画像の角部に錯視オブジェクト５０４を配置させた審査画面５００を生成する。そして、審査画面を表示する表示部２１０を備えた審査者情報処理端末１１０に送信する。
ステップＳ７１６では、審査者情報処理端末１１０は、ステップＳ７１５で送付された審査画面５００の情報を受信し、表示部２１０に表示する。
【００７３】
ステップＳ７１７では、審査者情報処理端末１１０は、審査画面５００を通じて受付けたそれぞれの画像表示領域５０１に表示された画像の審査結果の送信と審査終了の通知を情報処理装置１２０へ行う指示を、ユーザから受けつける。指示は、審査の保存・終了ボタン５０５の押下によって受付ける。
【００７４】
ステップＳ７１８では、審査者情報処理端末１１０は、ステップＳ７１７にて審査結果の保存と審査の終了指示を受付けたか否かを判定する。そして受付けたと判定した場合にはステップＳ７１９に遷移し、一方、受付けていないと判断した際にはステップＳ７１７に遷移する。
【００７５】
ステップＳ７１９では、審査者情報処理端末１１０は、審査画面５００を通じてユーザから受付けたそれぞれの画像表示領域５０１に表示された画像の審査結果を、送信する。
【００７６】
ステップＳ７２０では、情報処理装置１２０は、ステップＳ７１９で送信された審査結果を受信し、コンテストデータテーブル８００−１の審査結果８０５に格納する。
ステップＳ７２１では、情報処理装置１２０は、審査者情報処理端末１１０にステップＳ７２０における受信と記憶の完了通知を行う。
ステップ７２２では、情報処理装置１２０は、ステップＳ７２１で送信された受信と記憶の完了通知を受信する。
図８は、本実施例のデータテーブルの一例を示す構成図である。
【００７７】
図８に示す３つのデータテーブルは、いずれも情報処理装置１２０（記憶手段）によって記憶・管理されているが、例えば審査画面５００を送信する際など、必要に応じて管理されている情報を審査者情報処理端末１１０にも送信できるものとする。
【００７８】
コンテストデータテーブル８００−１は、コンテストで審査する画像ファイル（写真データ）を管理するデータテーブルである。そして、画像ファイルに対応する関連情報や審査結果、審査画面５００に表示する際に錯視オブジェクト５０４の表示が必要か否かの判定結果を併せて管理している。
コンテストＩＤ８０１は、情報処理装置１２０（コンテストを管理する管理サーバ）で管理しているコンテストを識別するＩＤである。
【００７９】
画像ファイル８０２は、ステップＳ４０８にて応募者情報処理端末１３０より受けつけた情報処理装置１２０が管理するコンテストに応募された画像のデータである。画像ファイル８０２には、角部に対応して表示する錯視オブジェクト５０４の表示が必要か否かを判定する際に用いるための属性値が含まれているものとする。属性値とは具体的には例えば、明度・彩度・輝度や、ＲＧＢ値が考えられる。
【００８０】
作品名８０３は、ステップＳ４０８にて応募者情報処理端末１３０より画像ファイル８０２とともに受けつけて、画像ファイル８０２に対応付けて管理される画像ファイル８０２の作品名である。
【００８１】
応募者名８０４は、ステップＳ４０８にて応募者情報処理端末１３０より画像ファイル８０２とともに受けつけて、画像ファイル８０２に対応付けて管理される画像ファイル８０２の応募者の名前である。なお、作品名８０３や応募者名８０４の他にも、応募者のコメントや連絡先、ユーザＩＤなど、コンテストに関連する様々な情報を同様にコンテストデータテーブル８００−１で管理してもよい（不図示）。
審査結果８０５は、審査結果受付領域５０３で受付けた画像ファイル８０２の画像の審査結果を管理する領域である。
【００８２】
第１の辺の表示補助８０６は、審査画面５００に表示する画像ファイル８０２の左上の角部（第１の角部）に対応する錯視オブジェクト５０４の表示が必要であるか否かのステップＳ７０３での判定の結果を記憶・管理する領域である。
【００８３】
第２の辺の表示補助８０７は、審査画面５００に表示する画像ファイル８０２の右上の角部（第２の角部）に対応する錯視オブジェクト５０４野表示が必要であるか否かのステップＳ７０６での判定の結果を記憶・管理する領域である。
【００８４】
第３の辺の表示補助８０８は、審査画面５００に表示する画像ファイル８０２の左下の角部（第３の角部）に対応する錯視オブジェクト５０４の表示が必要であるか否かのステップＳ７０９での判定の結果を記憶・管理する領域である。
【００８５】
第４の辺の表示補助８０９は、審査画面５００に表示する画像ファイル８０２の右下の角部（第４の角部）に対応する錯視オブジェクト５０４の表示が必要であるか否かのステップＳ７１２での判定の結果を記憶・管理する領域である。
【００８６】
背景データテーブル８００−２は、審査画面５００に表示する背景データとその属性情報を管理するデータテーブルである。角部と背景とが識別可能か否かを判定するために必要な属性報であればよく、例えば具体的には、明度・彩度・輝度やＲＧＢといった属性情報がある。
背景データ８１０は、審査画面５００に表示する背景データである。
背景明度８１１は、背景の明度である。
背景輝度８１２は、背景の輝度である。
背景彩度８１３は、背景の彩度である。
【００８７】
許容差分データテーブル８００−３は、角部と背景との境界が識別可能か否かを判定する（画像の角部に対応する錯視オブジェクト５０４の表示が必要か否かを判定する）ための条件を管理・記憶するデータテーブルである。具体的には、画像の角部と背景のそれぞれの属性値（明度・彩度・輝度やＲＧＢ値）の差分の許容値（許容差分）を管理・記憶している（記憶手段）。また、角部の定義に必要な情報も併せて管理している。
【００８８】
許容差分明度８１４は、審査画面５００に表示する画像ファイル８０２の角部と背景との境界が、見やすいか否かを判定するための明度の基準となる値である。（記憶手段が記憶する角部と背景との差分の許容値）
許容差分輝度８１５は、審査画面５００に表示する画像ファイル８０２の角部と背景との境界が、見やすいか否かを判定するための彩度の基準となる値である。
許容差分彩度８１６は、審査画面５００に表示する画像ファイル８０２の角部と背景との境界が、見やすいか否かを判定するための輝度の基準となる値である。
【００８９】
角部定義８１７は、画像ファイル８０２の角部を定義する条件を格納する領域である。本実施例では、画像の４つの角のうち一つの角を含む領域を角部とし、その面積は、画像ファイル８０２の全面積（全ピクセル）の４％と定めている。また、角部の縦横比は画像ファイル８０２と同じとしている。
図９は、錯視オブジェクト５０４一例を示した構成図である。
【００９０】
錯視オブジェクト５０４は、円弧と図形の角部に対応する２つの辺（直線）とから成り、２つの辺の接点は、円弧の該中心点に対応する場所にある。図形の角部に対応する２つの辺を有するのは、脳内で辺の延長線を補完する作用が働くためである。この脳内で補完される延長線が、画像と背景との境界として錯視を生み出している。
【００９１】
錯視オブジェクト５０４は、２つの直線と角が、画像表示領域５０１の画像の角部に対応するように配置される。したがって、画像表示領域５０１の画像が矩形の場合には、２つの辺の角度は９０°となる。つまり、もし仮に画像表示領域５０１の画像が正三角形ならば、錯視オブジェクト５０４の２つの辺の角度は６０°になる。
【００９２】
錯視オブジェクト５０４の辺Ｒと、画像ファイル８０２の外周の１辺の長さ（例えば図６のａやｂ）は、ａ＞２Ｒ，ｂ＞２Ｒでなければならない。なぜならば、ａ≦２Ｒ，ｂ≦２Ｒでは、隣り合う錯視オブジェクト５０４が重なってしまい、画像と背景との境界部分の錯視を引き起こす効果を得られなくなるからである。後述の図１０の錯視オブジェクトの切欠き部分の１辺の長さも、Ｒと同様に、ａ＞切欠き部分の１辺の長さ×２，ｂ＞切欠き部分の１辺の長さ×２でなければならない。
図１０は、錯視オブジェクト５０４の変形例である。
三角型錯視オブジェクト１００１は、三角形の一部に画像表示領域５０１の画像の角部に対応する切欠きを設けた錯視オブジェクトである。
四角型錯視オブジェクト１００２は、四角形の一部に画像表示領域５０１の画像の角部に対応する切欠きを設けた錯視オブジェクトである。
星型錯視オブジェクト１００３は、星形の図形の一部に画像表示領域５０１の画像の角部に対応する切欠きを設けた錯視オブジェクトである。
【００９３】
このように、錯視オブジェクトは、図形の一部に画像表示領域５０１の画像の角部に対応する切欠きを設ければ役割を果たすことができる。しかし、経験的には図１０に示したような円弧と角部の辺に対応する直線とからなる図形の錯視オブジェクトが、見やすさの点で望ましい。
図１１は、ハイキー写真と余白を設けた写真の一例を示した構成図である。
なお、図１１の写真の例は、写真の外枠を明示するために便宜上外枠をつけているが、実際の写真データには外枠はないものとする。
【００９４】
ハイキー写真１１０１は、露出オーバー気味にカメラで撮影する手法で、ハイライト部分（白色や白色に近い色）が多く、同時に画面全体に光が回った陰影の少ない画像である。
【００９５】
余白付写真１１０２は、周辺部分に余白を備えた画像である。図１１の例では、余白付写真１１０２余白の色は、白または白に近い色であるが、余白は黒など他の色の場合もある。
図１２は、背景との境界の識別ができない状態の画像表示の一例を示した構成図である。
境界識別不能画像１２０１は、画像と背景との境界の識別ができない画像である。
【００９６】
境界識別不能画像１２０１は、図１１のハイキー写真１１０１や余白付写真１１０２が、白い背景の審査画面５００に表示され、写真と背景との境界の識別ができない状態で表示されている画像である。
図１３は、境界領域の一例を示す構成図である。
境界領域１３０１は、角部の代わりに設定される領域である。境界領域１３０１はカギ型で、画像の外側の領域のみが比較の対象となっている点が角部とは異なる。境界領域１３０１は、角部と同様に領域に属性値があり、本領域の属性値を以て本領域に対応する位置に錯視オブジェクト５０４を表示するか否かの判定を、判定することができる。
【００９７】
このように第１の実施例では、情報処理装置１２０が審査画面５００に表示するための画像ファイルや、画像を表示する際に錯視オブジェクト５０４を表示するか否かを判定するための情報を管理する各種データテーブルを管理し、審査画面５００を生成している。そして、生成した表示画面を審査者情報処理端末１１０のブラウザ上で表示させる構成になっている。
【００９８】
第２の実施例は、審査者情報処理端末１１０に審査画面５００を生成できるアプリケーションをインストールして発明を実施する方法である。これは、情報処理装置１２０で管理する各データテーブルを審査者情報処理端末１１０に送付し、それに基づいて審査者情報処理端末１１０で、錯視オブジェクト５０４を表示するか否かの判定を行って、審査画面５００を生成し表示する方法である。表示部２１０上に表示される画面の動きは第１の実施例とは変わらないが、上記のように審査画面５００を生成する主体が異なっている。
【００９９】
以上説明したように、本発明は、表示画面に表示される画像と背景との間に境界線を設けることなく、画像と背景との境界を識別しやすくする仕組みを提供することができる。
【０１００】
また、前述した実施形態の機能を実現するプログラムを記録した記録媒体を、システムあるいは装置に供給し、そのシステムあるいは装置のコンピュータ（またはＣＰＵやＭＰＵ）が記録媒体に格納されたプログラムを読出し実行することによっても、本発明の目的が達成されることは言うまでもない。
【０１０１】
この場合、記録媒体から読み出されたプログラム自体が本発明の新規な機能を実現することになり、そのプログラムを記憶した記録媒体は本発明を構成することになる。
【０１０２】
プログラムを供給するための記録媒体としては、例えば、フレキシブルディスク、ハードディスク、光ディスク、光磁気ディスク、ＣＤ−ＲＯＭ、ＣＤ−Ｒ、ＤＶＤ−ＲＯＭ、磁気テープ、不揮発性のメモリカード、ＲＯＭ、ＥＥＰＲＯＭ、シリコンディスク、ソリッドステートドライブ等を用いることができる。
【０１０３】
また、コンピュータが読み出したプログラムを実行することにより、前述した実施形態の機能が実現されるだけでなく、そのプログラムの指示に基づき、コンピュータ上で稼働しているＯＳ（オペレーティングシステム）等が実際の処理の一部または全部を行い、その処理によって前述した実施形態の機能が実現される場合も含まれることは言うまでもない。
【０１０４】
さらに、記録媒体から読み出されたプログラムが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部または全部を行い、その処理によって前述した実施形態の機能が実現される場合も含まれることは言うまでもない。
【０１０５】
さらに、本発明を達成するためのプログラムをネットワーク上のサーバ、データベース等から通信プログラムによりダウンロードして読み出すことによって、そのシステムあるいは装置が、本発明の効果を享受することが可能となる。なお、上述した各実施形態およびその変形例を組み合わせた構成も全て本発明に含まれるものである。
【符号の説明】
【０１０６】
１１０    審査者情報処理端末
１２０    情報処理装置
１３０    応募者情報処理端末
１４０    通信ネットワーク
１５０    管理者情報処理端末
２０１    ＣＰＵ
２０２    ＲＯＭ
２０３    ＲＡＭ
２０４    システムバス
２０５    入力コントローラ
２０６    ビデオコントローラ
２０７    メモリコントローラ
２０８    通信Ｉ／Ｆコントローラ
２０９    ＫＢ／ボタン／タッチパネル
２１０    表示端末（表示部）
２１１    外部メモリ
３００    応募受付画面
３０１    コンテンツアドレス表示領域
３０２    コンテンツ候補表示ボタン
３０３    作品名受付領域
３０４    コメント受付領域
３０５    応募コンテンツ一覧追加指示受付ボタン
３０６    応募コンテンツ一覧
３０７    ユーザＩＤ受付領域応募者名受付領域
３０８    応募者名受付領域
３０９    応募者郵便番号受付領域
３１０    応募者住所受付領域
３１１    コンテンツ応募指示ボタン
３１２    応募終了ボタン
５００    審査画面
５０１    画像表示領域
５０２    画像情報表示領域
５０３    審査結果受付領域
５０４    錯視オブジェクト
５０５    審査の保存・終了ボタン
６０１    第１の角部
６０２    第２の角部
６０３    第３の角部
６０４    第４の角部
８００−１    コンテストデータテーブル
８０１    コンテストＩＤ
８０２    画像ファイル
８０３    作品名
８０４    応募者名
８０５    審査結果
８０６    第１の辺の表示補助
８０７    第２の辺の表示補助
８０８    第３の辺の表示補助
８０９    第４の辺の表示補助
８００−２    背景データテーブル
８１０    背景データ
８１１    背景明度
８１２    背景輝度
８１３    背景彩度
８００−３    許容差分データテーブル
８１４    許容差分明度
８１５    許容差分輝度
８１６    許容差分彩度
８１７    角部定義
１００１  三角型錯視オブジェクト
１００２  四角型錯視オブジェクト
１００３  星型錯視オブジェクト
１１０１  ハイキー写真の例
１１０２  余白付写真の例
１２０１  境界識別不能画像
１３０１  境界領域
【図１】
2016224705.tif 000003
【図２】
2016224705.tif 000004
【図３】
2016224705.tif 000005
【図４】
2016224705.tif 000006
【図５】
2016224705.tif 000007
【図６】
2016224705.tif 000008
【図７】
2016224705.tif 000009
【図８】
2016224705.tif 000010
【図９】
2016224705.tif 000011
【図１０】
2016224705.tif 000012
【図１１】
2016224705.tif 000013
【図１２】
2016224705.tif 000014
【図１３】
2016224705.tif 000015